(57)【要約】【課題】既設橋梁のプレキャスト床版の取換工事において使用する、小型・軽量で運送時に組立、解体が不要な自走式のプレキャスト床版架設機を提供する。【解決手段】４本の脚で保持される門型構造体と、該門型構造体の４本の脚を搭載する４台の無軌条式走行装置と、該門型構造体上部の長方形の枠型フレームの下部にその長手方向に配設・固定された２本のレールと、前記２本のレールにそれぞれの長辺が吊設され、かつ前記レールに沿って移動可能な長方形の枠型移動架と、前記枠型移動架の二つの長辺間に架設され、かつ前記枠型移動架の長手方向に移動可能な横梁と、前記横梁に吊設された床版を吊り下げる吊り下げ装置と、前記門型構造体上部の枠型フレームの一方の短辺の中央部下部に配設され水平方向にかつ枠型移動架の長手方向前方に引き出し可能な１本の腕木と、前記腕木の先端に垂設された支柱とで構成する。【選択図】  図１
2004300689.tif 000002
【特許請求の範囲】
【請求項１】
４本の脚で保持される門型構造体と、該門型構造体の４本の脚を搭載する４台の（ゴムタイヤ又はクローラ等を有する）無軌条式走行装置と、該門型構造体上部の長方形の枠型フレームの下部にその長手方向に配設・固定された２本のレールと、前記２本のレールにそれぞれの長辺が吊設され、かつ前記レールに沿って移動可能な長方形の枠型移動架と、前記枠型移動架の二つの長辺間に架設され、かつ前記枠型移動架の長手方向に移動可能な横梁と、前記横梁に吊設された床版を吊り下げるための吊り下げ装置と、前記門型構造体上部の枠型フレームの一方の短辺の中央部下部に配設され水平方向にかつ枠型移動架の長手方向前方に引き出し可能な１本の腕木と、前記腕木の先端に垂設された１本の支柱とで構成されてなることを特徴とする自走式プレキャスト床版架設機。
【請求項２】
４本の脚で保持される門型構造体と、該門型構造体の４本の脚を搭載する４台の（ゴムタイヤ又はクローラ等を有する）無軌条式走行装置と、該門型構造体上部の長方形の枠型フレームの下部にその長手方向に配設・固定された２本のレールと、前記２本のレールにそれぞれの長辺が吊設され、かつ前記レールに沿って移動可能な長方形の枠型移動架と、前記枠型移動架の二つの長辺間に架設され、かつ前記枠型移動架の長手方向に移動可能な横梁と、前記横梁に吊設され前記横梁に沿って移動可能な床版を吊り下げるための吊り下げ装置と、前記門型構造体上部の枠型フレームの一方の短辺の中央部下部に配設され水平方向にかつ枠型移動架の長手方向前方に引き出し可能な１本の腕木と、前記腕木の先端に垂設された１本の支柱とで構成されてなることを特徴とする自走式プレキャスト床版架設機。
【請求項３】
前記門型構造体が、上部の枠型フレームと４本の逆Ｌ字型の脚とからなり、かつ枠型フレームの短辺部がそれぞれ角筒２本を並置した構造をなし、該角筒部に前記逆Ｌ字型の脚の水平部を一方は右から、もう一方は左から挿入することによって、左右の脚の間隔を変更可能に構成されてなることを特徴とする請求項１又は２に記載の自走式プレキャスト床版架設機。
【請求項４】
前記門型構造体の４本の脚、及び支柱が、伸縮可能な鞘管構造をなし、前記門型構造体の高さを変更可能に構成されてなることを特徴とする請求項１〜３のいずれか１項に記載の自走式プレキャスト床版架設機。
【請求項５】
門型構造体の枠型フレーム下部に配設・固定された前記２本のレールにそれぞれの長辺が吊設され、かつ前記レールに沿って移動可能な長方形の枠型移動架と、前記枠型移動架の２つの長辺間に架設され、かつ前記枠型移動架の長手方向に移動可能な１本の横梁とで構成された２段式レール移送方式の採用によって、床版を吊り下げて移動させる吊り下げ装置の移動範囲を門型構造体の外部にまで拡大可能としたことを特徴とする請求項１〜４のいずれか１項に記載の自走式プレキャスト床版架設機。
【請求項６】
門型構造体の枠型フレームの一方の短辺の中央部下部に配設された引き出し可能な腕木の先端に垂設された１本の支柱が、床版を吊り下げた吊り下げ装置の門型構造体外部への移送を、安全かつ容易に可能にしたことを特徴とする請求項１〜５のいずれか１項に記載の自走式プレキャスト床版架設機。
【請求項７】
プレキャスト床版架設機の吊り下げ装置によって移送された床版を搭載して回転させる回転台車を、支柱と門型構造体の前方脚との間に配置してなることを特徴とする請求項１〜６のいずれか１項に記載の自走式プレキャスト床版架設機。
【発明の詳細な説明】
【０００１】
【発明の属する技術分野】本発明は、既設橋梁のプレキャスト床版の取換工事において使用するプレキャスト床版架設機に関する。
【０００２】
【従来の技術】従来橋梁におけるプレキャスト床版の架設は、トラッククレーンやフォークリフト、あるいは門型クレーンやジブクレーンなどといった大型機械を使用して行われてきた。しかし、既設橋梁のプレキャスト床版の取換工事においては、床版上に設置する作業機械の重量が床版の耐荷重力によって制限を受けること、また昼間における橋梁の通行を確保するために昼間は作業を中止して作業機械を撤去するよう求められるケースが増えたことなどから、従来使用されてきた各種作業機械それぞれに次のような難点が目立つようになってきた。
【０００３】
▲１▼トラッククレーン
トラッククレーンは自走可能であり、昼間の機材撤去の面では問題はないが、床版を吊り下げたときの総重量が、橋梁架設時に設定された床版の耐荷重力を超えることがあり、また、トラッククレーンの片持ちビームでは床版を吊り下げたときの最小回転半径が大きくなり、トラス橋等路面上に構築物が存在する橋梁など作業スペースの狭い場所ではビームの回転ができず、クレーン車の後方から前方への床版供給が困難となる。
▲２▼フォークリフト
フォークリフトも自走可能であり、昼間の機材撤去の面では問題はないが、吊り装置の改造取付が必要となり、またトラッククレーンに比べて作業半径が小さい。
【０００４】
▲３▼ガーダー
ガーダーは設備が大がかりであり、その組立、解体、運送などに費用がかさむ。したがって、現地で組み立て、解体を繰り返すのは経済的に引き合わず、昼間の機材撤去の要求には応じられない。
▲４▼門型クレーン
門型クレーンは、その走行に鋼製の車輪を使用することから専用レールの敷設が必要となるなど設備が大がかりとなり、これを既設床版上に設置する場合は、門型クレーンの重量が床版の耐荷重力を超えないことが必要となる。また、門型クレーンの組立、解体、運送などに経費がかさむため、前記ガーダーと同様、組み立て、解体を繰り返すのは経済的に引き合わず、昼間の機材撤去の要求には応じられない。
▲５▼ジブクレーン
ジブクレーンも、設備が大がかりなため、前記ガーダーや門型クレーンと同様な機械重量の制限や経済上の問題点がある。
【０００５】
【発明が解決しようとしている課題】上記従来の技術に鑑み、既設橋梁のプレキャスト床版の取換工事において使用する、小型・軽量で運送時に組立、解体が不要な自走式のプレキャスト床版架設機を提供する。
【０００６】
【課題を解決するための手段】本発明者は上記課題を下記の手段により解決した。
（１）４本の脚で保持される門型構造体と、該門型構造体の４本の脚を搭載する４台の（ゴムタイヤ又はクローラ等を有する）無軌条式走行装置と、該門型構造体上部の長方形の枠型フレームの下部にその長手方向に配設・固定された２本のレールと、前記２本のレールにそれぞれの長辺が吊設され、かつ前記レールに沿って移動可能な長方形の枠型移動架と、前記枠型移動架の二つの長辺間に架設され、かつ前記枠型移動架の長手方向に移動可能な横梁と、前記横梁に吊設された床版を吊り下げるための吊り下げ装置と、前記門型構造体上部の枠型フレームの一方の短辺の中央部下部に配設され水平方向にかつ枠型移動架の長手方向前方に引き出し可能な１本の腕木と、前記腕木の先端に垂設された１本の支柱とで構成されてなることを特徴とする自走式プレキャスト床版架設機。
（２）４本の脚で保持される門型構造体と、該門型構造体の４本の脚を搭載する４台の（ゴムタイヤ又はクローラ等を有する）無軌条式走行装置と、該門型構造体上部の長方形の枠型フレームの下部にその長手方向に配設・固定された２本のレールと、前記２本のレールにそれぞれの長辺が吊設され、かつ前記レールに沿って移動可能な長方形の枠型移動架と、前記枠型移動架の二つの長辺間に架設され、かつ前記枠型移動架の長手方向に移動可能な横梁と、前記横梁に吊設され前記横梁に沿って移動可能な床版を吊り下げるための吊り下げ装置と、前記門型構造体上部の枠型フレームの一方の短辺の中央部下部に配設され水平方向にかつ枠型移動架の長手方向前方に引き出し可能な１本の腕木と、前記腕木の先端に垂設された１本の支柱とで構成されてなることを特徴とする自走式プレキャスト床版架設機。
【０００７】
（３）前記門型構造体が、上部の枠型フレームと４本の逆Ｌ字型の脚とからなり、かつ枠型フレームの短辺部がそれぞれ角筒２本を並置した構造をなし、該角筒部に前記逆Ｌ字型の脚の水平部を一方は右から、もう一方は左から挿入することによって、左右の脚の間隔を変更可能に構成されてなることを特徴とする前記（１）又は（２）に記載の自走式プレキャスト床版架設機。
（４）前記門型構造体の４本の脚、及び支柱が、伸縮可能な鞘管構造をなし、前記門型構造体の高さを変更可能に構成されてなることを特徴とする前記（１）〜（３）のいずれか１項に記載の自走式プレキャスト床版架設機。
（５）門型構造体の枠型フレーム下部に配設・固定された前記２本のレールにそれぞれの長辺が吊設され、かつ前記レールに沿って移動可能な長方形の枠型移動架と、前記枠型移動架の２つの長辺間に架設され、かつ前記枠型移動架の長手方向に移動可能な１本の横梁とで構成された２段式レール移送方式の採用によって、床版を吊り下げて移動させる吊り下げ装置の移動範囲を門型構造体の外部にまで拡大可能としたことを特徴とする前記（１）〜（４）のいずれか１項に記載の自走式プレキャスト床版架設機。
【０００８】
（６）門型構造体の枠型フレームの一方の短辺の中央部下部に配設された引き出し可能な腕木の先端に垂設された１本の支柱が、床版を吊り下げた吊り下げ装置の門型構造体外部への移送を、安全かつ容易に可能にしたことを特徴とする前記（１）〜（５）のいずれか１項に記載の自走式プレキャスト床版架設機。
（７）プレキャスト床版架設機の吊り下げ装置によって移送された床版を回転させる回転台車を、支柱と門型構造体の前方脚との間に配置してなることを特徴とする前記（１）〜（６）のいずれか１項に記載の自走式プレキャスト床版架設機。
【０００９】
【発明の実施の形態】本発明の実施の形態を、実施例の図面によって説明する。
図１は本発明実施例の作業時の斜視図、図２は本発明実施例の構成及び各部材の短縮、収容方向を示す説明図であり、図３は本発明実施例の輸送時の斜視図、図４は本発明実施例の輸送時の構成図、図５は本発明実施例におけるプレキャスト床版架設機の架設動作の説明図である。
図において１はプレキャスト床版架設機、２は枠型フレーム、３は脚、４は無軌条式走行装置、５は基台、６はレール、７は電動スライド式吊設装置、７’、７”はスライド式吊設装置、８は枠型移動架、９は横梁、１０はチェーンブロック、１１は腕木、１２は支柱、１３、１３’、１３”は床版、１４はアウトリガー、１５は回転台車である。
【００１０】
【実施例】
本発明実施例の自走式プレキャスト床版架設機は、図１及び図２に示すように、門型構造体が上部の長方形の枠型フレーム２と逆Ｌ字型の４本の脚３とで構成され、かつ枠型フレームの二つの短辺部が、それぞれ２本の角筒を並置した構造をなし、その２本の角筒にそれぞれ一方には右から、他方には左から逆Ｌ字型の脚３の水平部が挿入され、脚３の間隔を拡大・縮小可能としている。そしてこの門型構造体が、左右２組の、前後に２台の無軌条式走行装置４を持つ角柱形の基台５に搭載されて自走可能に構成されている。
また、前記枠型フレーム２の下部にはその長手方向にＨ型状の２本のレール６が配設・固定され、前記２本のレールに長辺がＨ型状の２本のレール６からなる長方形の枠型移動架８が電動スライド式吊設装置７を介して前記レールに沿って移動可能に吊設され、前記枠型移動架の長辺をなす２本のレール６間にはスライド式吊設装置７’を介して横梁９が枠型移動架の長手方向に移動可能に架設され、さらに前記横梁９に前記横梁に沿って移動可能な吊り下げ装置としてのチェーンブロック１０が吊設されている。
前記門型構造体の枠型フレーム２のどちらか一方の短辺中央の下部には、前記枠型フレーム２の長手方向前方水平方向に引き出し可能な腕木１１が１本配設され、前記腕木１１の先端には支柱１２が垂設されている。
前記門型構造体を構成する４本の逆Ｌ字型脚３の垂直部、及び前記支柱１２は伸縮可能な鞘型構造をなしており、前記門型構造体の枠型フレーム２の短辺部への脚３の取り付け構造、及び前記引き出し可能な腕木とを、図２に矢印で示した向きに挿入短縮することにより、図１及び図２に示す作業時の形状を、図３及び図４に示す輸送時の形状に変化させ、前記プレキャスト床版架設機を分解することなく輸送できるようにしている。
【００１１】
次に本発明実施例のプレキャスト床版架設機１の床版架設操作を説明する。図３及び図４に示した形状で作業現場に輸送されたプレキャスト床版架設機１は、無軌条式走行装置４によって所定位置まで自走した後、脚３の枠型フレーム２からの引き出しと脚３の伸長、及び腕木１１の引き出しと支柱１２の伸長が行われるとともに、アウトリガー１４によって図５（ａ）に示す形状で床版１３’上に固定される。この際門型構造体の逆Ｌ字型脚３の脚部と枠型フレーム２間、及び脚３と基台５との間に図示しない補強用筋交いを用いることも好ましい。
床版上に固定された前記プレキャスト床版架設機１による床版１３の架設作業は、前記床版１３の前記プレキャスト床版架設機１への取り込み、つまりチェーンブロック１０への床版１３の吊り下げ、次いで吊り下げた床版１３の架設位置までの移送、そして所定位置への設置という工程で行われる。
【００１２】
まず、前記床版１３を前記プレキャスト床版架設機１への取り込み、つまりチェーンブロック１０への床版１３の吊り下げであるが、そのためにチェーンブロック１０をプレキャスト床版架設機１の後部に移動する必要がある。したがって、門型構造体の枠型フレーム２の下部に該枠型フレーム２の長手方向に配設・固定されたレール６に沿って移動可能に吊設された枠型移動架８と、該枠型移動架８の二つの長辺をなす２本のレール６間に該レールに沿って移動可能に架設された枠型移動架８の二つの長辺をなす２本のレールに沿ってチェーンブロック１０を、図５（ａ）に示す矢印の向きに移動し、床版１３をチェーンブロック１０に吊り下げて図５（ｂ）に示す状態とする。
【００１３】
吊り下げた床版１３の架設位置への移送は、前記チェーンブロック１０を枠型移動架８の２本のレール６に沿って図５（ｂ）の矢印の向きに移動することによって行われ、図５（ｃ）に示す状態として達成される。
その後チェーンブロック１０を横梁９に沿って左右に移動させて床版１３の位置を微調整しながら下降させ、図５（ｃ）で１３”と表示した位置に床版１３を設置して一連の作業を終了する。
なお、図５に１３’として示したのは既設の床版であり、床版１３”を架設した後は、この上に前記プレキャスト床版架設機を前進させ、次の床版の取り換えを行う。
【００１４】
橋梁の床版を取り換える場合、図５（ａ）に示すように取り換える部分の既設の床版１３’は、既に取り外されて空間となっている。したがって、プレキャスト床版架設機１はその手前に設置するしかなく、このような状態で新しい床版１３を設置するためには、プレキャスト床版架設機１の前方に床版１３を大幅に張り出させて保持する必要がある。しかし、重量のある床版を前方に張り出すとプレキャスト床版架設機１がバランスを損ねる恐れがあり、それを抑止するためにはプレキャスト床版架設機１の重量を大きくするなどの対策が必要となるが、橋梁の床版の耐荷重力を超えて重量を増すことはできず、むしろ輸送の面からも軽量化の要望が強い。
本発明の実施例ではプレキャスト床版架設機１の前方に引き出される腕１１の先端に垂設された支柱１３を、図５に示すように取り外された床版の先にある既設の床版１３’上、若しくは橋桁上に固定することによってプレキャスト床版架設機１の安定化と軽量化を図っている。
【００１５】
また、長方形の床版１３の長辺を橋梁の幅員方向として設置する場合には、自走式プレキャスト床版架設機で長方形の床版１３の短辺を前方として移送した後、支柱１２と門型構造体の前方の脚３との間に配置された回転台車１５によって９０°回転させるが、回転可能な床版の幅員は、前記支柱１２と門型構造体に前方の脚３との間隔長の範囲内に制限される。
【００１６】
【発明の効果】本発明により下記のような効果が発揮できる。
（１）無軌条式走行装置を備えているので、任意の位置に移動、据え付けが可能であり、かつ移動により床版を傷つけることがない。
（２）チェーンブロックが、門型構造体の前方に大きく張り出した枠型移動架の２本のレールを介して門型構造体に吊設されているので、門型構造体の直下に進入したトラックから直接プレキャスト床版をチェーンブロックに吊り下げ、そのまま門型構造体の前方に移送して前記床版を所定の位置に設置することができる。なお、前記チェーンブロックが門型構造体の前方に張り出すことによってプレキャスト床版架設機がバランスを欠くという恐れは、門型構造体から前方に引き出された腕木とその先端に垂設された支柱とによって抑止されるのですべての操作が安定に行える。
（３）前方に支柱を設けることにより、架設時の装置反力を５箇所に分散できるので、既設床版の耐荷重力を十分クリアできる。
（４）プレキャスト床版架設機が軽量に構成できるので、既設床版上に設置して作業しても既設床版や橋梁に与える影響は少ない。
（５）プレキャスト床版架設機の高さ及び横幅を１台のトラックに積み込める寸法（実施例では高さ２．４ｍ、幅２．２２ｍ）にまで縮小できるので、運搬時にも床版架設機を分解する必要がなく、また、運搬にあたって道路交通法に基づく特別な許可を必要としない。
（６）前記（５）に記載したようにプレキャスト床版架設機を分解することなくトラックで現場に運搬でき、かつ、荷台に斜路を付けることにより自走で降ろせるので、プレキャスト床版架設機の運搬にクレーン等の重機を必要とせず、また組立作業も不要なことから、短時間で作業にかかれる。
（７）プレキャスト床版設置時には、橋軸方向、同直角方向への位置の微調整が可能なので、架設が容易になる。
（８）回転台車の併用により幅員８ｍ程度の床版まで架設できる。
（９）運搬費、組立解体費等を含むトータルコストの削減ができる。
（１０）作業性がよく、工程の短縮が図れる。
（１１）プレキャスト床版架設作業時でも建築限界内に収まる大きさなので、橋梁型式、橋梁規模に左右されることなくすべての橋梁で使用できる。
（１２）プレキャスト床版架設機が自走式であることから撤去が容易であり、床版交換工事期間中においても昼間における橋梁の通行を確保したいという要求に容易に応じられる。
【図面の簡単な説明】
【図１】本発明実施例の作業時の斜視図。
【図２】本発明実施例の構成及び各部材の短縮、収容方向を示す説明図。
【図３】本発明実施例の輸送時の斜視図。
【図４】本発明実施例の輸送時の構成図。
【図５】本発明実施例のプレキャスト床版架設機の架設動作の説明図。
【符号の説明】
１：プレキャスト床版架設機                    ２：枠型フレーム
３：脚                                                            ４：無軌条式走行装置
５：基台                                                        ６：レール
７：電動スライド式吊設装置                    ７’、７”：スライド式吊設装置
８：枠型移動架                                            ９：横梁
１０：チェーンブロック                            １１：腕木
１２：支柱                                                    １３、１３’、１３”：床版
１４：アウトリガー                                                        １５：回転台車
【図１】
2004300689.tif 000003
【図２】
2004300689.tif 000004
【図３】
2004300689.tif 000005
【図４】
2004300689.tif 000006
【図５】
2004300689.tif 000007